(57)【要約】【課題】狭いスペースであっても簡単、かつ、確実に固定体に対して被固定体を着脱可能に取り付ける。【解決手段】固定体１の壁部１２の内壁面１２ａと、被固定体２の一側の壁面２３との間に形成された隙間Ｈに締結具３を挿入する。被固定体２の受部２３１の凹溝２３１ａに対して締結具３の当接部３１を当接させ、締結具３の固定部３２を正面側に押し込こむ。これにより、固定部３２の位置決め部３２１が固定体１の突起部１２２に係合し固定部３２が固定体１に位置決めされる。このとき、締結具３の弾性変形部３３が弾性変形することによって、被固定体２の正面側の壁面２１を固定体１の壁部１１の内壁面１１ａに押圧する押圧力が生じる。【選択図】        図４
2006090446.tif 000002
【特許請求の範囲】
【請求項１】
被固定体に当接する当接部と、
上記当接部を介して上記被固定体を固定体に押圧する押圧力を弾性変形することによって生じる弾性変形部と、
上記固定体に係合して上記弾性変形部を弾性変形させる一方で上記弾性変形部の押圧力によって上記固定体に係合する位置が決まる固定部と
を備えたことを特徴とする締結具。
【請求項２】
少なくとも上記当接部および上記弾性変形部は、上記固定体がなす壁面と上記被固定体がなす壁面との間に形成された間隙に挿入してあることを特徴とする請求項１に記載の締結具。
【請求項３】
上記当接部と上記固定部とは、上記弾性変形部の押圧力が作用する軸線に沿って設けてあることを特徴とする請求項１または２に記載の締結具。
【請求項４】
上記固定部は、上記固定体に設けた突起部に係合して、上記弾性変形部を弾性変形させた状態で上記固定体に対して位置決めされる位置決め部を有することを特徴とする請求項１〜３のいずれか一つに記載の締結具。
【請求項５】
上記位置決め部は、上記弾性変形部の押圧力に抗して上記突起部に係合してなり、上記固定部は、上記弾性変形部の押圧力が作用する軸線に交差する態様で上記位置決め部を上記突起部に対して押圧する保持部を有することを特徴とする請求項４に記載の締結具。
【請求項６】
上記当接部および上記弾性変形部は、略平板状に形成してあることを特徴とする請求項１〜５のいずれか一つに記載の締結具。
【請求項７】
上記弾性変形部は、押圧力が作用する軸線に各々端部を配置した略Ｃ字形状に形成してあることを特徴とする請求項１〜６のいずれか一つに記載の締結具。
【請求項８】
上記弾性変形部は、環状に形成してあることを特徴とする請求項１〜６のいずれか一つに記載の締結具。
【請求項９】
上記弾性変形部は、押圧力が作用する軸線に沿って連続する連環状に形成してあることを特徴とする請求項１〜６のいずれか一つに記載の締結具。
【請求項１０】
上記弾性変形部は、押圧力が作用する軸線に交差する態様でジグサグ形状に形成してあることを特徴とする請求項１〜６のいずれか一つに記載の締結具。
【請求項１１】
上記弾性変形部は、矩形板状に形成してあることを特徴とする請求項１〜６のいずれか一つに記載の締結具。
【請求項１２】
２つの壁面により形成される角部を有する第１の部材と、
上記角部の内側において上記２つの壁面の一方の面である第１の壁面に対して当接し、上記２つの壁面の他方の面である第２の壁面に沿う態様で上記第１の部材に取り付けられる第２の部材と、
上記第２の壁面と上記第２の部材との間に挿入されて上記第２の壁面側に固定され、上記第２の部材を上記第１の壁面に対して当接させる押圧力を作用する締結部材と
を有することを特徴とする締結構造。
【請求項１３】
上記締結部材は、上記第２の壁面と上記第２の部材との間に挿入される部分が前記押圧力を生じるバネ形状に形成してあることを特徴とする請求項１２に記載の締結構造。
【請求項１４】
上記締結部材は、板部材からなり、上記バネ形状が円弧状に形成してあることを特徴とする請求項１３に記載の締結構造。
【発明の詳細な説明】
【技術分野】
【０００１】
本発明は、固定体（第１の部材）に対して被固定体（第二の部材）を固定する締結具および締結構造に関するものである。
【背景技術】
【０００２】
一般に、固定体に対して被固定体を着脱可能に取り付ける場合、締結具としてのネジで締結する締結構造が採用されている。従来、締結具としてのネジによってファインダ本体（固定体：第１の部材）に対してポロプリズム（被固定体：第２の部材）を着脱可能に取り付ける締結構造が開示されている（例えば、特許文献１参照）。
【０００３】
【特許文献１】特開平１−１５９６２２号公報
【発明の開示】
【発明が解決しようとする課題】
【０００４】
しかしながら、固定体および被固定体を含む全体構成の小型化が要求される場合、狭いスペースでの締結を実現しなければならない。このような場合、従来のネジによる締結では、ネジの太さやネジ頭部の大きさが問題となって固定体に対して被固定体を適宜固定することが困難である。また、ネジによる締結以外に、接着、溶着または溶接などの手段が考えられるが、固定体から被固定体を取り外すときに固定体あるいは被固定体を破壊してしまうおそれがある。
【０００５】
本発明は、上記に鑑みてなされたものであって、狭いスペースであっても簡単、かつ、確実に固定体（第１の部材）に対して被固定体（第２の部材）を取り付けることができ、さらに固定体に対して被固定体を着脱可能に取り付けることができる締結具および締結構造を提供することを目的とする。
【課題を解決するための手段】
【０００６】
上述した課題を解決し、目的を達成するために、本発明の請求項１に係る締結具は、被固定体に当接する当接部と、上記当接部を介して上記被固定体を固定体に押圧する押圧力を弾性変形することによって生じる弾性変形部と、上記固定体に係合して上記弾性変形部を弾性変形させる一方で上記弾性変形部の押圧力によって上記固定体に係合する位置が決まる固定部とを備えたことを特徴とする。
【０００７】
本発明の請求項２に係る締結具は、上記請求項１において、少なくとも上記当接部および上記弾性変形部は、上記固定体がなす壁面と上記被固定体がなす壁面との間に形成された間隙に挿入してあることを特徴とする。
【０００８】
本発明の請求項３に係る締結具は、上記請求項１または２において、上記当接部と上記固定部とは、上記弾性変形部の押圧力が作用する軸線に沿って設けてあることを特徴とする。
【０００９】
本発明の請求項４に係る締結具は、上記請求項１〜３のいずれか一つにおいて、上記固定部は、上記固定体に設けた突起部に係合して、上記弾性変形部を弾性変形させた状態で上記固定体に対して位置決めされる位置決め部を有することを特徴とする。
【００１０】
本発明の請求項５に係る締結具は、上記請求項４において、上記位置決め部は、上記弾性変形部の押圧力に抗して上記突起部に係合してなり、上記固定部は、上記弾性変形部の押圧力が作用する軸線に交差する態様で上記位置決め部を上記突起部に対して押圧する保持部を有することを特徴とする。
【００１１】
本発明の請求項６に係る締結具は、上記請求項１〜５のいずれか一つにおいて、上記当接部および上記弾性変形部は、略平板状に形成してあることを特徴とする。
【００１２】
本発明の請求項７に係る締結具は、上記請求項１〜６のいずれか一つにおいて、上記弾性変形部は、押圧力が作用する軸線に各々端部を配置した略Ｃ字形状に形成してあることを特徴とする。
【００１３】
本発明の請求項８に係る締結具は、上記請求項１〜６のいずれか一つにおいて、上記弾性変形部は、環状に形成してあることを特徴とする。
【００１４】
本発明の請求項９に係る締結具は、上記請求項１〜６のいずれか一つにおいて、上記弾性変形部は、押圧力が作用する軸線に沿って連続する連環状に形成してあることを特徴とする。
【００１５】
本発明の請求項１０に係る締結具は、上記請求項１〜６のいずれか一つにおいて、上記弾性変形部は、押圧力が作用する軸線に交差する態様でジグサグ形状に形成してあることを特徴とする。
【００１６】
本発明の請求項１１に係る締結具は、上記請求項１〜６のいずれか一つにおいて、上記弾性変形部は、矩形板状に形成してあることを特徴とする。
【００１７】
上述した課題を解決し、目的を達成するために、本発明の請求項１２に係る締結構造は、２つの壁面により形成される角部を有する第１の部材と、上記角部の内側において上記２つの壁面の一方の面である第１の壁面に対して当接し、上記２つの壁面の他方の面である第２の壁面に沿う態様で上記第１の部材に取り付けられる第２の部材と、上記第２の壁面と上記第２の部材との間に挿入されて上記第２の壁面側に固定され、上記第２の部材を上記第１の壁面に対して当接させる押圧力を作用する締結部材とを有することを特徴とする。
【００１８】
本発明の請求項１３に係る締結構造は、上記請求項１２において、上記締結部材は、上記第２の壁面と上記第２の部材との間に挿入される部分が前記押圧力を生じるバネ形状に形成してあることを特徴とする。
【００１９】
本発明の請求項１４に係る締結構造は、上記請求項１３において、上記締結部材は、板部材からなり、上記バネ形状が円弧状に形成してあることを特徴とする。
【発明の効果】
【００２０】
本発明にかかる締結具は、弾性変形部が弾性変形することによって被固定体を固定体に押圧する押圧力を生じる。このため、簡単、かつ、確実に固定体に対して被固定体を取り付けることができる。また、締結具は、固定部を固定体から外すだけで弾性変形部による押圧力が解除される。このため、固定体から被固定体を取り外すときに固定体および被固定体を破壊することがない。すなわち、固定体に対して被固定体を着脱可能に取り付けることができる。
【００２１】
締結具は、固定体がなす壁面と被固定体がなす壁面との間に形成された間隙に対して少なくとも当接部および弾性変形部を挿入してある。すなわち、締結具は、固定体がなす壁面と被固定体がなす壁面との間の隙間内において固定体に対して被固定体を取り付けることができる。特に、当接部および弾性変形部を平板状に形成することによって、固定用のネジを通せないような隙間内において固定体に対して被固定体を取り付けることができる。
【００２２】
締結具は、当接部と固定部とが弾性変形部の押圧力が作用する軸線に沿って設けてある。このため、被固定体に当接部を当接した方向にそのまま固定部を押し込むことによって、当該方向に弾性変形部の押圧力を適宜作用させることができる。
【００２３】
締結具の固定部には、固定体に設けた突起部に係合して、弾性変形部を弾性変形させた状態で固定体に対して位置決めされる位置決め部が設けてある。このため、弾性変形部の押圧力を適した位置および方向に作用させることが可能である。
【００２４】
締結具の位置決め部は、弾性変形部の押圧力に抗して突起部に係合してなり、固定部は、弾性変形部の押圧力が作用する軸線に交差する態様で位置決め部を突起部に対して押圧する保持部を有している。このため、位置決め部によって位置決めされた状態を保つことができる。
【００２５】
本発明に係る締結構造は、２つの壁面により形成される角部を有する第１の部材と、角部の内側において２つの壁面の一方の面である第１の壁面に対して当接し、２つの壁面の他方の面である第２の壁面に沿う態様で第１の部材に取り付けられる第２の部材と、第２の壁面と第２の部材との間に挿入されて第２の壁面側に固定され、第２の部材を第１の壁面に対して当接させる押圧力を作用する締結部材とを有する。このため、簡単、かつ、確実に第１の部材に対して第２の部材を取り付けることができる。また、締結部材を第２の壁面側から外せば押圧力が解除される。このため、第１の部材から第２の部材を取り外すときに第１の部材および第２の部材を破壊することがない。すなわち、第１の部材に対して第２の部材を着脱可能に取り付けることができる。
【００２６】
締結部材は、第２の壁面と第２の部材との間に挿入される部分が押圧力を生じるバネ形状に形成してある。このため、より簡単、かつ、確実に第１の部材に対して第２の部材を取り付けることができる。
【発明を実施するための最良の形態】
【００２７】
以下に添付図面を参照して、本発明に係る締結具および締結構造の好適な実施の形態を詳細に説明する。なお、この実施の形態によりこの発明が限定されるものではない。
【００２８】
（第１実施の形態）
図１は本発明に係る締結構造の第１実施の形態を示す分解斜視図、図２は図１に示した締結構造の組立側面図、図３は図１に示した締結構造の組立背面図、図４は図２におけるＡ−Ａ断面図、図５は図１で示した締結具（締結部材）を示す側面図である。
【００２９】
本発明の締結構造は、固定体（第１の部材）１と、被固定体（第２の部材）２と、固定体１に対して被固定体２を固定するための締結具（締結部材）３とを有している。ここで例示する締結構造は、カメラの構成の一部を締結するものであって、固定体１は、カメラ本体側に配設される部分であり、被固定体２は、カメラのファインダ装置の一部を構成する部分である。
【００３０】
図１〜図４に示すように第１の部材である固定体１は、正面側に設けた矩形状の壁部１１の一側端に矩形状の壁部１２を一体に設けて平面視で略Ｌ字形状に形成してある。この固定体１は、壁部１１の内壁面１１ａと、壁部１２の内壁面１２ａとの２つの壁面によって、いわゆる入隅をなす略直角の角部１３を形成してある。なお、本実施の形態において、壁部１１の内壁面１１ａは、２つの壁面の一方の面である第１の壁面とし、壁部１２の内壁面１２ａは、２つの壁面の他方の面である第２の壁面とする。
【００３１】
壁部１１には、その内壁面１１ａおよび外壁面１１ｂを貫通する開口穴１１１が設けてある。この開口穴１１１は、壁部１１の矩形状の外形に沿って矩形状に開設してあり、被写体からの光束を通過させるためのものである。また、壁部１１には、壁部１２と相反する他側端の上下２箇所に固定片１１２が延設してある。この固定片１１２は、壁部１１の内壁面１１ａに対して面一に形成してある。また、固定片１１２には、固定用ネジ４が螺着されるネジ穴１１２ａが設けてある。
【００３２】
壁部１２には、上記角部１３の近傍の位置に内壁面１２ａおよび外壁面１２ｂを貫通する窓穴１２１が設けてある。また、壁部１２には、外壁面１２ｂにおいて壁部１１と相反する端部の近傍の位置に突起部１２２が突設してある。この突起部１２２は、図２に示すように側面視において矩形状をなしている。突起部１２２は、図４に示すように平面視において壁部１２の外壁面１２ｂから略直角に延在して正面側に向く面をなす係合部１２２ａと、当該係合部１２２ａの延在端から背面側に向けて外壁面１２ｂに至り傾斜する斜面１２２ｂとによって三角形状をなしている。また、壁部１２には、壁部１１と相反する端部の近傍であって上記突起部１２２よりも背面側の位置に内壁面１２ａおよび外壁面１２ｂを貫通するネジ穴１２３が設けてある。このネジ穴１２３には、保持用ネジ５が螺着される。
【００３３】
図１〜図４に示すように第２の部材である被固定体２は、正面側の壁面２１および上側の壁面２２が開口（図示せず）して、両側の壁面２３，２４が閉塞された筒型を呈している。また、被固定体２は、背面側において傾斜して配置した反射ミラー２５が設けてある。この反射ミラー２５は、正面側の開口から進入した光束を上側の開口に向けて反射する。
【００３４】
一側の壁面２３には、正面側の位置に受部２３１が設けてある。受部２３１は、平面視で背面側に開放する略Ｌ字形状に形成してあり、一側の壁面２３と伴って凹形状を呈する凹溝２３１ａをなしている。
【００３５】
他側の壁面２４には、上下２箇所に固定片２４１が延設してある。この固定片２４１は、正面側の壁面２１に対して面一に形成してある。また、固定片２４１には、固定用ネジ４が挿通される挿通穴２４１ａが設けてある。
【００３６】
図１〜図５に示すように締結部材としての締結具３は、当接部３１と、固定部３２と、弾性変形部３３とを備えている。当接部３１、固定部３２および弾性変形部３３は、弾性を有した略平板状の硬質材料によって一体に形成してある。硬質材料としては、ステンレス板（例えばＳＵＳ３０１−ＣＳＰ−Ｈ、ＳＵＳ３０４−ＣＳＰ−Ｈ、またはＳＵＳ６３１−ＣＳＰ−Ｈ）や、青銅板（例えばＣ５２１１Ｐ−Ｈ）や、ベリリウム銅板（例えばＣ１７２０Ｐ−Ｈ）がある。なお、青銅板やベリリウム銅板の場合には、錆防止のためニッケル、クロムなどのメッキを施すことが好ましい。
【００３７】
当接部３１は、被固定体２における受部２３１の凹溝２３１ａに挿入して当接する態様で平板状に形成してある。
【００３８】
固定部３２は、平面視で略コ字形状に折曲形成してある。この固定部３２は、位置決め部３２１と、保持穴３２２とを有している。位置決め部３２１は、固定体１の突起部１２２に係合する矩形状の係合穴として形成してある。この位置決め部３２１の矩形状の係合穴は、突起部１２２の平面視での矩形状に嵌合する態様で形成してある。保持穴３２２は、上記保持用ネジ５が挿通する態様で形成してある。
【００３９】
弾性変形部３３は、平板状に形成してあって当接部３１と固定部３２との間に設けてある。弾性変形部３３は、自身が弾性変形することによって当接部３１と固定部３２との間に押圧力を作用する。図５に示すように本実施の形態での弾性変形部３３は、バネ形状として押圧力が作用する軸線Ｓの上に各々端部を配置した略Ｃ字形状（円弧状）に形成してあり、当該各端部に当接部３１と固定部３２とがそれぞれ設けてある。なお、図５では、弾性変形部３３が弾性変形する以前の状態を二点差線で示し、弾性変形部３３が弾性変形した状態を実線で示してある。このように、当接部３１と固定部３２とは、弾性変形部３３の押圧力が作用する軸線Ｓに沿って設けてある。
【００４０】
以下、固定体１への被固定体２の取り付けについて説明する。詳しくは、固定体１の角部１３の内側において、壁部１１の内壁面１１ａ（角部１３をなす２つの壁面の一方の面である第１の壁面）に対して被固定体２の正面側の壁面２１を当接させ、壁部１２の内壁面１２ａ（角部１３をなす２つの壁面の他方の面である第２の壁面）に対して被固定体２の一側の壁面２３を沿う態様で被固定体２を固定体１に取り付ける。
【００４１】
図２および図４に示すように上記取り付け形態において、被固定体２の固定片２４１の挿通穴２４１ａに固定用ネジ４を通し、さらに当該固定用ネジ４を固定体１における固定片１１２のネジ穴１１２ａに螺着する。固定用ネジ４は、被固定体２の正面側の壁面２１を固定体１の壁部１１の内壁面１１ａに向けて押圧する。この結果、被固定体２の正面側の壁面２１の他側が固定体１の壁部１１の他側端側に固定される。
【００４２】
次いで、固定体１の壁部１２の内壁面１２ａと、被固定体２の一側の壁面２３との間に形成された隙間Ｈ（図３および図４に示す）の背面側から締結具３を挿入する。具体的には、被固定体２の受部２３１の凹溝２３１ａに対して締結具３の当接部３１を挿入・当接させつつ、締結具３の固定部３２を正面側に押し込こむ。これにより、締結具３の固定部３２が固定体１に設けた突起部１２２の斜面１２２ｂに乗り上がりつつ、位置決め部３２１の係合穴が突起部１２２に係合することになる。このとき、締結具３の弾性変形部３３が弾性変形することによって、被固定体２の正面側の壁面２１の一側を固定体１の壁部１１の一側端側に押圧する押圧力が生じる。この押圧力は、上記固定用ネジ４と同様に、被固定体２の正面側の壁面２１を固定体１の壁部１１の内壁面１１ａに向けて押圧する。この結果、被固定体２の正面側の壁面２１の一側が固定体１の壁部１１の一側端側に固定される。なお、締結具３の固定部３２には、上記押圧力によって背面側に移動しようとするが、位置決め部３２１の係合穴の縁部が押圧力に抗して突起部１２２の係合部１２２ａに当接するので、固定部３２の背面側への移動が阻止されて固定体１に係合する固定部３２の位置が決まることになる。
【００４３】
また、位置決め部３２１の係合穴が突起部１２２に係合したとき、固定部３２に設けた保持穴３２２と、固定体１の壁部１２に設けたネジ穴１２３とが連通する。そして、保持穴３２２を介してネジ穴１２３に保持用ネジ５を螺着する。これにより、保持用ネジ５は、弾性変形部３３の押圧力が作用する軸線Ｓに交差するように位置決め部３２１を突起部１２２に対して押圧する。この結果、弾性変形部３３の押圧力に相対して突起部１２２への位置決め部３２１の係合が保持される。このように、固定部３２は、保持穴３２２を介して固定体１のネジ穴１２３に保持用ネジ５を螺着することによって、弾性変形部３３の押圧力に相対して突起部１２２への位置決め部３２１の係合を保持する保持部を有する。
【００４４】
なお、固定体１の壁部１２に設けた窓穴１２１は、被固定体２の凹溝２３１ａに対して締結具３の当接部３１を挿入・当接させた状態を外壁面１２ｂ側から確認するために用いられる。すなわち、窓穴１２１からの確認によって凹溝２３１ａに当接部３１を挿入・当接する作業を確実に行うことが可能になる。
【００４５】
したがって、上述した第１実施の形態における構成によれば、締結具３は、弾性変形部３３が弾性変形することによって被固定体２の正面側の壁面２１を固定体１の壁部１１の内壁面１１ａに押圧する押圧力を生じる。このため、簡単、かつ、確実に固定体１に対して被固定体２を取り付けることが可能である。また、締結具３は、固定部３２を固定体１から外すだけで弾性変形部３３による押圧力を解除される。このため、固定体１から被固定体２を取り外すときに固定体１および被固定体２を破壊することがない。すなわち、固定体１に対して被固定体２を着脱可能に取り付けることが可能である。
【００４６】
締結具３は、固定体１の壁部１２の内壁面１２ａと、被固定体２の一側の壁面２３との間に形成された隙間Ｈに対して当接部３１および弾性変形部３３を挿入してある。すなわち、上記締結具３は、固定体１がなす内壁面１２ａと被固定体２がなす壁面２３との間の隙間Ｈ内において固定体１に対して被固定体２を取り付けることが可能である。特に、当接部３１および弾性変形部３３を平板状に形成することによって、固定用のネジを通せないような隙間Ｈ内において固定体１に対して被固定体２を取り付けることが可能である。
【００４７】
締結具３は、当接部３１と固定部３２とが弾性変形部３３の押圧力が作用する軸線Ｓに沿って設けてある。このため、被固定体２に当接部３１を当接した方向にそのまま固定部３２を押し込むことによって、当該方向に弾性変形部３３の押圧力を適宜作用させることが可能である。
【００４８】
締結具３の固定部３２には、固定体１に設けた突起部１２２に係合して、弾性変形部３３を弾性変形させた状態で固定体１に対して位置決めされる位置決め部３２１が設けてある。このため、弾性変形部３３の押圧力を、被固定体２の正面側の壁面２１を固定体１の壁部１１の内壁面１１ａに押圧するための適した位置および方向に作用させることが可能である。特に突起部１２２と位置決め部３２１の係合穴とが嵌合する矩形状に形成してあるので、当接部３１が被固定体２の受部２３１に当接する位置をも適した位置決めすることが可能である。
【００４９】
締結具３の固定部３２は、保持穴３２２を介して固定体１のネジ穴１２３に保持用ネジ５を螺着することによって、弾性変形部３３の押圧力に相対して突起部１２２への位置決め部３２１の係合を保持する保持部を有している。このため、位置決め部３２１によって位置決めされた状態を保つことが可能である。
【００５０】
ここで、締結部材としての締結具の他の構成を説明する。図６〜図９は締結具（締結部材）の他の構成を示す側面図、図１０は図９に示した締結具（締結部材）の平面図である。
【００５１】
なお、図６〜図１０に示す締結具３０１，３０２，３０３，３０４は、上述した締結具３の弾性変形部３３に対して形状が異なる。そして、上述した締結具３の当接部３１および固定部３２に対しては同様の構成であるため同一の符号を付して説明を省略する。
【００５２】
図６に示す締結具３０１の弾性変形部３３Ａは、平板状に形成してあって当接部３１と固定部３２との間に設けてある。弾性変形部３３Ａは、自身が弾性変形することによって当接部３１と固定部３２との間に押圧力を作用する。この弾性変形部３３Ａは、押圧力が作用する軸線Ｓの上に当接部３１と固定部３２とを配置した環状に形成してある。弾性変形部３３Ａの弾性変形は、図６において主に上下方向に変形する。なお、弾性変形部３３Ａは、図６では略円環状に示してあるが、軸線Ｓに沿って押圧力を作用する環状であればよい。
【００５３】
図７に示す締結具３０２の弾性変形部３３Ｂは、平板状に形成してあって当接部３１と固定部３２との間に設けてある。弾性変形部３３Ｂは、自身が弾性変形することによって当接部３１と固定部３２との間に押圧力を作用する。この弾性変形部３３Ｂは、押圧力が作用する軸線Ｓに沿って連続する連環状に形成してあって、押圧力が作用する軸線Ｓの上に当接部３１と固定部３２とを配置してある。弾性変形部３３Ｂの弾性変形は、図７において主に上下方向に変形する。
【００５４】
図８に示す締結具３０３の弾性変形部３３Ｃは、平板状に形成してあって当接部３１と固定部３２との間に設けてある。弾性変形部３３Ｃは、自身が弾性変形することによって当接部３１と固定部３２との間に押圧力を作用する。この弾性変形部３３Ｃは、押圧力が作用する軸線Ｓに交差する態様で略Ｍ字状のジグサグ形状（蛇行形状）に形成してあって、押圧力が作用する軸線Ｓの上に当接部３１と固定部３２とを配置してある。弾性変形部３３Ｃの弾性変形は、図８において主に上下方向に変形する。
【００５５】
図９および図１０に示す締結具３０４の弾性変形部３３Ｄは、平板状に形成してあって当接部３１と固定部３２との間に設けてある。弾性変形部３３Ｄは、自身が弾性変形することによって当接部３１と固定部３２との間に押圧力を作用する。この弾性変形部３３Ｄは、押圧力が作用する軸線Ｓに沿って矩形板状に形成してあって、押圧力が作用する軸線Ｓの上に当接部３１と固定部３２とを配置してある。弾性変形部３３Ｄの弾性変形は、図１０において主に上下方向（板厚方向）に変形する。
【００５６】
このような、締結具３０１，３０２，３０３，３０４の弾性変形部３３Ａ，３３Ｂ，３３Ｃ，３３Ｄであっても、上述した締結具３の弾性変形部３３と同様に被固定体２の正面側の壁面２１を固定体１の壁部１１の内壁面１１ａに対して押圧する押圧力を得ることが可能である。なお、弾性変形部の形状は、被固定体２の正面側の壁面２１を固定体１の壁部１１の内壁面１１ａに対して押圧する押圧力を得る形状であれば上記構成に限定されない。
【００５７】
（第２実施の形態）
図１１は本発明に係る締結構造の第２実施の形態を示す横断面図、図１２は図１１で示した締結具（締結部材）を示す側面図、図１３は図１１で示した締結具（締結部材）を示す平面図である。なお、以下に説明する第２実施の形態において、上述した第１実施の形態と同一部分には同一の符号を付して説明を省略する。
【００５８】
第２実施の形態では、上述した第１実施の形態に対して突起部の構成が異なり、これに伴い締結具の構成が異なる。すなわち、固定体１の壁部１２の内壁面１２ａに突起部１２４が設けてある。そして、締結具３０５は、突起部１２４に係合する態様で固定部３２Ａが設けてある。
【００５９】
突起部１２４は、内壁面１２ａにおいて壁部１１と相反する端部の近傍の位置に突設してある。突起部１２４は、側面視において矩形状をなしている。また、突起部１２４は、図１１に示すように平面視において壁部１２の内壁面１２ａから略直角に延在して正面側に向く面をなす係合部１２４ａと、当該係合部１２４ａの延在端から背面側に向けて内壁面１２ａに至り傾斜する斜面１２４ｂとによって三角形状をなしている。さらに、突起部１２４は、平面視で正面側に開放し、内壁面１２ａと伴って凹形状を呈する凹溝１２４ｃを有している。
【００６０】
締結具３０５の固定部３２Ａは、平面視で略コ字形状に折曲形成してある。この固定部３２Ａは、位置決め部３２１Ａを有している。位置決め部３２１Ａは、固定体１の突起部１２４に係合する矩形状の係合穴として形成してある。また、固定部３２Ａの略コ字形状は、正面側に向く開口が狭窄したバネ形状に形成してある。
【００６１】
また、締結具３０５の弾性変形部３３Ｅは、平板状に形成してあって当接部３１と固定部３２Ａとの間に設けてある。弾性変形部３３Ｅは、自身が弾性変形することによって当接部３１と固定部３２Ａの間に押圧力を作用する。図１２に示すように本実施の形態での弾性変形部３３Ｅは、バネ形状として押圧力が作用する軸線Ｓの上に各々端部を配置した略Ｃ字形状（円弧状）に形成してあり、当該各端部に当接部３１と固定部３２Ａとがそれぞれ設けてある。このように、当接部３１と固定部３２Ａとは、弾性変形部３３Ｅの押圧力が作用する軸線Ｓに沿って設けてある。また、図１３に示すように弾性変形部３３Ｅは、当接部３１と、固定部３２Ａの位置決め部３２１Ａを設けた部分との相反する方向に向く互いの側面の間隔Ｈ１が、固定体１に被固定体２を取り付けたときに、固定体１の壁部１２の内壁面１２ａと、被固定体２の一側の壁面２３との間に形成された隙間Ｈ（図１１に示す）と同じか若干大きい間隔であって、上記互いの側面が平行となるように湾曲して形成してある。
【００６２】
以下、固定体１への被固定体２の取り付けについて説明する。詳しくは、固定体１の角部１３の内側において、壁部１１の内壁面１１ａ（角部１３をなす２つの壁面の一方の面である第１の壁面）に対して被固定体２の正面側の壁面２１を当接させ、壁部１２の内壁面１２ａ（角部１３をなす２つの壁面の他方の面である第２の壁面）に対して被固定体２の一側の壁面２３を沿う態様で被固定体２を固定体１に取り付ける。
【００６３】
図１１に示すように上記取り付け形態において、被固定体２の固定片２４１の挿通穴２４１ａに固定用ネジ４を通し、さらに当該固定用ネジ４を固定体１における固定片１１２のネジ穴１１２ａに螺着する。固定用ネジ４は、被固定体２の正面側の壁面２１を固定体１の壁部１１の内壁面１１ａに向けて押圧する。この結果、被固定体２の正面側の壁面２１の他側が固定体１の壁部１１の他側端側に固定される。
【００６４】
次いで、固定体１の壁部１２の内壁面１２ａと、被固定体２の一側の壁面２３との間に形成された隙間Ｈ（図１１に示す）の背面側から締結具３０５を挿入する。具体的には、被固定体２の受部２３１の凹溝２３１ａに対して締結具３０５の当接部３１を挿入・当接させつつ、締結具３の固定部３２Ａを正面側に押し込こむ。これにより、締結具３０５の固定部３２Ａが固定体１に設けた突起部１２４の斜面１２４ｂに乗り上がりつつ、位置決め部３２１Ａの係合穴が突起部１２４に係合することになる。このとき、締結具３０５の弾性変形部３３Ｅが弾性変形することによって、被固定体２の正面側の壁面２１の一側を固定体１の壁部１１の一側端側に押圧する押圧力が生じる。この押圧力は、上記固定用ネジ４と同様に、被固定体２の正面側の壁面２１を固定体１の壁部１１の内壁面１１ａに向けて押圧する。この結果、被固定体２の正面側の壁面２１の一側が固定体１の壁部１１の一側端側に固定される。なお、締結具３０５の固定部３２Ａには、上記押圧力によって背面側に移動しようとするが、位置決め部３２１Ａの係合穴の縁部が突起部１２４の凹溝１２４ｃに嵌挿するので、固定部３２Ａの背面側への移動が阻止されて固定体１に係合する固定部３２Ａの位置が決まることになる。
【００６５】
また、位置決め部３２１Ａの係合穴が突起部１２４に係合したとき、固定部３２Ａのバネ形状に形成した略コ字形状が、固定体１の壁部１２の背面側の端部を挟持する。これにより、上記バネ形状は、弾性変形部３３Ｅの押圧力が作用する軸線Ｓに交差するように位置決め部３２１Ａを突起部１２４に対して押圧する。この結果、弾性変形部３３Ｅの押圧力に相対して突起部１２４への位置決め部３２１Ａの係合が保持される。このように、固定部３２Ａは、自身のバネ形状によって、弾性変形部３３Ｅの押圧力に相対して突起部１２４への位置決め部３２１Ａの係合を保持する保持部を有する。
【００６６】
なお、固定体１の壁部１２に設けた窓穴１２１は、被固定体２の凹溝２３１ａに対して締結具３０５の当接部３１を挿入・当接させた状態を外壁面１２ｂ側から確認するために用いられる。すなわち、窓穴１２１からの確認によって凹溝２３１ａに当接部３１を挿入・当接する作業を確実に行うことが可能になる。
【００６７】
したがって、上述した第２実施の形態における構成によれば、上記第１実施の形態と同様に、締結具３０５は、弾性変形部３３Ｅが弾性変形することによって被固定体２の正面側の壁面２１を固定体１の壁部１１の内壁面１１ａに押圧する押圧力を生じる。このため、簡単、かつ、確実に固定体１に対して被固定体２を取り付けることが可能である。また、締結具３０５は、固定部３２Ａを固定体１から外すだけで弾性変形部３３Ｅによる押圧力を解除される。このため、固定体１から被固定体２を取り外すときに固定体１および被固定体２を破壊することがない。すなわち、固定体１に対して被固定体２を着脱可能に取り付けることが可能である。
【００６８】
締結具３０５は、固定体１の壁部１２の内壁面１２ａと、被固定体２の一側の壁面２３との間に形成された隙間Ｈに対して当接部３１および弾性変形部３３Ｅを挿入してある。すなわち、上記締結具３０５は、固定体１がなす内壁面１２ａと被固定体２がなす壁面２３との間の隙間Ｈ内において固定体１に対して被固定体２を取り付けることが可能である。特に、当接部３１および弾性変形部３３Ｅを平板状に形成することによって、固定用のネジを通せないような隙間Ｈ内において固定体１に対して被固定体２を取り付けることが可能である。
【００６９】
締結具３０５は、当接部３１と固定部３２Ａとが弾性変形部３３Ｅの押圧力が作用する軸線Ｓに沿って設けてある。このため、被固定体２に当接部３１を当接した方向にそのまま固定部３２Ａを押し込むことによって、当該方向に弾性変形部３３Ｅの押圧力を適宜作用させることが可能である。
【００７０】
締結具３０５の固定部３２Ａには、固定体１に設けた突起部１２４に係合して、弾性変形部３３Ｅを弾性変形させた状態で固定体１に対して位置決めされる位置決め部３２１Ａが設けてある。このため、弾性変形部３３Ｅの押圧力を、被固定体２の正面側の壁面２１を固定体１の壁部１１の内壁面１１ａに押圧するための適した位置および方向に作用させることが可能である。特に、位置決め部３２１Ａの係合穴の縁部が、突起部１２４の凹溝１２４ｃに嵌挿するので、当接部３１が被固定体２の受部２３１に当接する位置をも適した位置決めすることが可能である。
【００７１】
締結具３０５の固定部３２Ａは、自身のバネ形状によって、弾性変形部３３Ｅの押圧力に相対して突起部１２４への位置決め部３２１Ａの係合を保持する保持部を有している。このため、位置決め部３２１Ａによって位置決めされた状態を保つことが可能である。
【００７２】
締結具３０５の弾性変形部３３Ｅは、当接部３１と、固定部３２Ａの位置決め部３２１Ａを設けた部分との相反する方向に向く互いの側面の間隔Ｈ１が、固定体１に被固定体２を取り付けたときに、固定体１の壁部１２の内壁面１２ａと、被固定体２の一側の壁面２３との間に形成された隙間Ｈ（図１１に示す）と同じか若干大きい間隔であって、上記互いの側面が平行となるように湾曲して形成してある。すなわち、図１１に示すように固定体１に被固定体２を取り付けたときに、当接部３１の側面を被固定体２の一側の壁面２３に当接させ、かつ、固定部３２Ａの位置決め部３２１Ａを設けた部分の側面を固定体１の壁部１２の内壁面１２ａに適宜当接させる。このため、隙間Ｈ内で締結具３０５を遊びなく配置することが可能である。
【００７３】
ところで、第２実施の形態の変形例として、図１４に示すように固定体１の壁部１２の内壁面１２ａにおいて、突起部１２４の位置を内壁面１２ａから遠ざける態様で嵩上げする段部１２５を設けてもよい。段部１２５は、締結具３０５によって固定体１に被固定体２を取り付けたときに、締結具３０５の弾性変形部３３が真っ直ぐな状態で固定部３２Ａの位置決め部３２１Ａを設けた部分の面に当接する。すなわち、弾性変形部３３Ｅを湾曲せずに真っ直ぐ配置することが可能であり、当接部３１と固定部３２Ａとの間で生じる弾性変形部３３の押圧力を、被固定体２の正面側の壁面２１を固定体１の壁部１１の内壁面１１ａに押圧する最適な方向に作用させることが可能である。
【００７４】
なお、第２実施の形態において、弾性変形部３３Ｅは、図６〜図９に示す弾性変形部３３Ａ，３３Ｂ，３３Ｃ，３３Ｄと同じ形状にしてもよい。
【００７５】
なお、図には明示しないが、上述した第１実施の形態および第２実施の形態において、被固定体２に設けた受部２３１の凹溝２３１ａの上側および下側を閉塞して、当該凹溝２３１ａに挿入・当接した当接部３１の上下移動を規制する構成としてもよい。また、被固定体２の一側の壁面２３に凹溝２３１ａへの当接部３１の挿入を案内するガイドを設けて当該凹溝２３１ａに挿入・当接した当接部３１の上下移動を規制する構成としてもよい。
【００７６】
なお、上述した第１実施の形態および第２実施の形態では、締結部材としての締結具３，３０１，３０２，３０３，３０４，３０５に弾性変形部３３，３３Ａ，３３Ｂ，３３Ｃ，３３Ｄ，３３Ｅを設けて、当該弾性変形部３３，３３Ａ，３３Ｂ，３３Ｃ，３３Ｄ，３３Ｅの弾性変形によって被固定体２を固定体１に押圧する押圧力を得ているがこの限りではない。例えば、図１５に示すように締結部材としての締結具３０６を長手平板状の剛体として弾性変形を生じない構成とし、固定体１の壁部１２を弾性変形可能に構成する。そして、締結具３０６の当接部３１を被固定体２の受部２３１に係合するように構成する。すなわち、締結具３０６は、固定部３２によって壁部１２の端部を内壁面１２ａ側（被固定体２側）に引き寄せることになり、この結果壁部１２が弾性変形して被固定体２を固定体１に相対的に押圧する押圧力が得られる。
【００７７】
なお、上述した全ての実施の形態において、本発明の締結具および締結構造の構成を固定体１および被固定体２の一側に配置してあるが、必要に応じて固定体１および被固定体２の他側にも配置してよい。
【００７８】
なお、上述した全ての実施の形態において、締結具３，３０１，３０２，３０３，３０４，３０５は、当接部３１を被固定体２に当接し、固定部３２，３２Ａを固定体１に係合する構成にしてあるがこの限りでない。図には明示しないが、例えば、当接部３１を被固定体２に係合し、固定部３２，３２Ａを固定体１に当接する構成にしてもよい。また、当接部３１を被固定体２に係合し、固定部３２，３２Ａを固定体１に係合する構成にしてもよい。
【図面の簡単な説明】
【００７９】
【図１】本発明に係る締結構造の第１実施の形態を示す分解斜視図である。
【図２】図１に示した締結構造の組立側面図である。
【図３】図１に示した締結構造の組立背面図である。
【図４】図２におけるＡ−Ａ断面図である。
【図５】図１で示した締結具（締結部材）を示す側面図である。
【図６】締結具（締結部材）の他の構成を示す側面図である。
【図７】締結具（締結部材）の他の構成を示す側面図である。
【図８】締結具（締結部材）の他の構成を示す側面図である。
【図９】締結具（締結部材）の他の構成を示す側面図である。
【図１０】図９に示した締結具（締結部材）の平面図である。
【図１１】本発明に係る締結構造の第２実施の形態を示す横断面図である。
【図１２】図１１で示した締結具（締結部材）を示す側面図である。
【図１３】図１１で示した締結具（締結部材）を示す平面図である。
【図１４】本発明に係る締結構造の第２実施の形態の変形例を示す横断面図である。
【図１５】本発明に係る締結構造の第１実施の形態及び第２実施の形態とは異なる形態を示す横断面図である。
【符号の説明】
【００８０】
１    固定体（第１の部材）
１１    壁部
１１ａ    内壁面（第１の壁面）
１１ｂ    外壁面
１１１    開口穴
１１２    固定片
１１２ａ    ネジ穴
１２    壁部
１２ａ    内壁面（第２の壁面）
１２ｂ    外壁面
１２１    窓穴
１２２，１２４    突起部
１２２ａ，１２４ａ    係合部
１２２ｂ，１２４ｂ    斜面
１２３    ネジ穴
１２４ｃ    凹溝
１２５    段部
１３    角部
２    被固定体（第２の部材）
２１    正面側の壁面
２２    上側の壁面
２３    一側の壁面
２３１，２３２    受部
２３１ａ    凹溝
２４    他側の壁面
２４１    固定片
２４１ａ    挿通穴
２５    反射ミラー
３，３０１，３０２，３０３，３０４，３０５，３０６    締結具（締結部材）
３１    当接部
３２，３２Ａ    固定部
３２１，３２１Ａ    位置決め部
３２２    保持穴
３３，３３Ａ，３３Ｂ，３３Ｃ，３３Ｄ，３３Ｅ    弾性変形部
４    固定用ネジ
５    保持用ネジ
Ｈ    隙間
Ｈ１    間隔
Ｓ    軸線
【図１】
2006090446.tif 000003
【図２】
2006090446.tif 000004
【図３】
2006090446.tif 000005
【図４】
2006090446.tif 000006
【図５】
2006090446.tif 000007
【図６】
2006090446.tif 000008
【図７】
2006090446.tif 000009
【図８】
2006090446.tif 000010
【図９】
2006090446.tif 000011
【図１０】
2006090446.tif 000012
【図１１】
2006090446.tif 000013
【図１２】
2006090446.tif 000014
【図１３】
2006090446.tif 000015
【図１４】
2006090446.tif 000016
【図１５】
2006090446.tif 000017